(57)【要約】  【課題】  構成部品を出来るだけ少なくする簡易な構成でありながら、綴杆および綴管を有する側板の着脱操作を容易かつ円滑に行い、かつこれらを確実に蹴り出しを行うことができる両開き綴具を提供することを課題とする  【解決手段】台紙背表紙に固定した綴り金具の基板１の長手方向の両側に設けている側板保持体２を介し、綴杆30又は綴杆30を挿入する綴管31をそれぞれ固設した左右一対の側板３を着脱可能に設ける両開き綴具において、側板保持体２は、基端部側で枢支軸10と、先端を内方に不勢するバネ20により、基板１の両脇部外方に向かって回動可能に設けると共に、側板３に設けている係止部32を係止する係止体21と、基端近傍に設けている側板蹴出体22とを有し、側板蹴出体22は、側板保持体２を外方に回動時に係止部32が係止体21から係止が解けた後に、側板３の下端に当接した後、外方に移動させた後に、上方に移動させる周面形状をとを備えた構成からなる。【選択図】図１
2010155421.tif 000002
【特許請求の範囲】
【請求項１】
台紙背表紙に固定した綴り金具の基板の長手方向の両側に設けている側板保持体を介し、綴杆又は綴杆を挿入する綴管をそれぞれ固設した左右一対の側板を着脱可能に設ける両開き綴具において、
側板保持体は、基端部側で枢支軸と、先端を内方に不勢するバネにより、基板の両脇部外方に向かって回動可能に設けると共に、側板に設けている係止部を係止する係止体と、基端近傍に設けている側板蹴出体とを有し、
側板蹴出体は、側板保持体を外方に回動時に係止部が係止体から係止が解けた後に、側板の下端に当接した後、上方に移動させる周面形状を有することを特徴とする両開き綴具。
【請求項２】
台紙背表紙に固定した綴り金具の基板の長手方向の両側に設けている側板保持体を介し、綴杆又は綴杆を挿入する綴管をそれぞれ固設した左右一対の側板を着脱可能に設ける両開き綴具において、
側板保持体は、基端部側で枢支軸と、先端を内方に不勢するバネにより、基板の両脇部外方に向かって回動可能に設けると共に、側板に設けている係止部を係止する係止体と、基端近傍に設けている側板蹴出体とを有し、
側板蹴出体は、側板保持体を外方に回動時に係止部が係止体から係止が解けた後に、側板の下端に当接した後、外方に移動させる周面形状を有することを特徴とする両開き綴具。
【請求項３】
台紙背表紙に固定した綴り金具の基板の長手方向の両側に設けている側板保持体を介し、綴杆又は綴杆を挿入する綴管をそれぞれ固設した左右一対の側板を着脱可能に設ける両開き綴具において、
側板保持体は、基端部側で枢支軸と、先端を内方に不勢するバネにより、基板の両脇部外方に向かって回動可能に設けると共に、側板に設けている係止部を係止する係止体と、基端近傍に設けている側板蹴出体とを有し、
側板蹴出体は、側板保持体を外方に回動時に係止部が係止体から係止が解けた後に、側板の下端に当接した後、外方に移動させた後に、上方に移動させる周面形状を有することを特徴とする両開き綴具。
【請求項４】
請求項１〜３記載のいずれか記載の両開き綴り具において、側板保持体を枢支する枢支軸を基端側内側に設けることを特徴とする両開き綴具。
【請求項５】
側板蹴出体の周面に溝部を形成することを特徴とする請求項１〜４のいずれか一項に記載の特徴とする両開き綴具。
【発明の詳細な説明】
【技術分野】
【０００１】
本発明は、綴り金具付きファイルに関し、特にその綴り金具を左右両側から書類を脱着し、取外し出来る両開き綴具に関するものである。
【背景技術】
【０００２】
一般に、通常の両開き綴具は、左右両側にヒンジを設けた基板と、下側縁辺に基板のヒンジに連結されるヒンジを形成し、相対する面に綴杆又はこの綴杆が挿入、引き抜きされる綴管を固定した一対の側板からなり、側板内に組み込まれた操作部材によってヒンジピン等を操作して基板に側板を着脱する方式が一般的である。
そして、一例として特許文献１に記載の技術がある。
この技術では、側板の上部中央で操作片を押圧することによってヒンジピンのロックを外す構造のものも知られているが、このものは着脱のたびに係合部が強い摩擦で摺接するので耐久性に問題があった。
かかる問題点を解決するために特許文献２が提案されている。
係る特許文献２では、中央部でスライド操作をし、板ばね部材が操作部材の下方中央部で伸縮するので安定感があり、使い勝手がよいのではあるが、構造が複雑となり安価に生産できない問題がある。
また、従来の両開き式両開き綴具の一般的に課題において、その側板は、両側板に対し係脱可能に保持する構成であり複雑である等の原因により、実際的には、その操作が往々にして円滑を欠くものであった。これらのほか構造を簡易にした両開きの両開き綴具として、特許文献３の技術が提案されている。
【０００３】
この特許文献３では、図１０に示すように、基板６０に設けている折曲部の上端縁部上に蝶番接手６１を介して外向きに回動自在に蝶支した側板保持体６２に、蝶番接手６１に蝶支し、側板保持体６２との間でバネ６３を介し設けた押圧保持板７０と、この押圧保持板７０に係合する側板８０よりなり、側板保持体６２の動作により押圧保持板７０を作動させ、側板８０を上方に持ち上げる動作を行い、綴杆および綴管を有する側板８０の着脱操作を容易かつ円滑に行うもので、比較的簡単な構成で、綴杆および綴管を有する側板の着脱操作を容易かつ円滑に行うことができる比較的簡単な構成からなる発明である。
【０００４】
【特許文献１】特許第２９８０８３５号公報
【特許文献２】特開２００３−１３６８７５号公報
【特許文献３】特許第３０９６４２８号公報
【発明の開示】
【発明が解決しようとする課題】
【０００５】
しかしながら、この特許文献３に記載の発明では、上記動作に際し、側板保持体６２を図１１のＭ方向に移動させようとすると、側板８０は、上端を側板保持体６２の係止部６４と押圧保持板７０により保持されていることより、本来は側板保持体６２を外方に回動させることは出来ない。そこで、現実的に動作をさせるためには、側板８０は、側板保持体６２の係止部６４と押圧保持板７０による保持に、多少のガタツキを左右それぞれの側板保持体６２と側板８０間に設け、一方の側板保持体６２を回動させたとき、このガタツキが一方に偏り、側板８０の上端が側板保持体６２の係止部６４から係止が解かれる。この後、側板保持体６２の回動に伴って押圧保持板７０も回動し、押圧保持板７０により側板を上方に押し上げる構成となっている。また、当該発明では、部品として、大きく分けて、基板６０、側板保持体６２、押圧保持板７０、側板８０およびピン  の５つの大きな部品が必要となる。
この特許文献３によれば、側板８０を持ち上げる動作を行う側板保持体６２は、蝶番接手６１により基板６０の折り曲げた上端に軸支され、更にバネ６３により、持上げ蹴出しを行いその方向は、蝶番接手６１を中心とした接線方向で、側板保持体６２の側板を保持する位置は、蝶番接手６１の内側に位置する為、側板内方に向かった方向となり、側板８０には上方にのみが有効な作用力が生じている。この作用力は、バネ６３が側面保持部体６２と持上げ蹴出しを行う押圧保持板７０との間で作用し、基板６０と側面保持部体６２と押圧保持板７０の合わされた部材には、バネ６３の力は働いていない。従って、綴杆および綴管に大量の書類を収納している場合、持上げ蹴出し効果が発揮されない場合が有り、一時的に係止が解かれても、押圧保持板７０の位置が変化しない場合には、バネ６３の弾性力で側面保持部体６２を当初状態に復帰することになり、実質的に係止状態に復帰する場合が生じる。
本発明は、構成部品を出来るだけ少なくする簡易な構成でありながら、綴杆および綴管を有する側板の着脱操作を容易かつ円滑に行い、かつこれらを確実に蹴り出しを行うことができる両開き綴具を提供することを課題とする。
【課題を解決するための手段】
【０００６】
（特徴点）
本発明は、上述した課題を解決するため、以下の手段を構成した。
（１）請求項１記載の発明は、台紙背表紙に固定した綴り金具の基板の長手方向の両側に設けている側板保持体を介し、綴杆又は綴杆を挿入する綴管をそれぞれ固設した左右一対の側板を着脱可能に設ける両開き綴具において、側板保持体は、基端部側で枢支軸と、先端を内方に不勢するバネにより、基板の両脇部外方に向かって回動可能に設けると共に、側板に設けている係止部を係止する係止体と、基端近傍に設けている側板蹴出体とを有し、側板蹴出体は、側板保持体を外方に回動時に係止部が係止体から係止が解けた後に、側板の下端に当接した後、上方に移動させる周面形状を有することを特徴とする。
（２）請求項２記載の発明は、台紙背表紙に固定した綴り金具の基板の長手方向の両側に設けている側板保持体を介し、綴杆又は綴杆を挿入する綴管をそれぞれ固設した左右一対の側板を着脱可能に設ける両開き綴具において、側板保持体は、基端部側で枢支軸と、先端を内方に不勢するバネにより、基板の両脇部外方に向かって回動可能に設けると共に、側板に設けている係止部を係止する係止体と、基端近傍に設けている側板蹴出体とを有し、側板蹴出体は、側板保持体を外方に回動時に係止部が係止体から係止が解けた後に、側板の下端に当接した後、外方に移動させる周面形状を有することを特徴とする。
（３）請求項３記載の発明は、台紙背表紙に固定した綴り金具の基板１の長手方向の両側に設けている側板保持体を介し、綴杆又は綴杆を挿入する綴管をそれぞれ固設した左右一対の側板を着脱可能に設ける両開き綴具において、側板保持体は、基端部側で枢支軸と、先端を内方に不勢するバネにより、基板の両脇部外方に向かって回動可能に設けると共に、側板に設けている係止部を係止する係止体と、基端近傍に設けている側板蹴出体とを有し、側板蹴出体は、側板保持体を外方に回動時に係止部が係止体から係止が解けた後に、側板の下端に当接した後、外方に移動させた後に、上方に移動させる周面形状を有することを特徴とする。
（４）請求項４記載の発明は、前記（１）〜（３）の両開き綴り具において、側板保持体２を枢支する枢支軸を基端側内側に設けることを特徴とする。
（５）また請求項５記載の発明は、側板蹴出体の周面に溝部を形成することを特徴とする。
【０００７】
本発明の両開き綴具は、綴杆又は綴杆を挿入する綴管をそれぞれ固設している左右一対の側板は、側板の係止部が側板保持体の係止体に係止される構成であり確実に保持がなされ、その係止は、基端部側に有する枢支軸を中心として、側板保持体を外方に開く方向に倒すことで、側板か外方に回動し、係止を簡単に解くことが出来る。
そして側板保持体の基端近傍に設けられている側板蹴出体も同様に回動し、側板蹴出体の周面形状が回動に従って、前記係止部の係止が解かれた後、側板の下端に当接後、上方に移動させる周面形状を有することより、側板は、周面形状に沿って下端に応力が加わり、側板の位置を変更するように作用する。
【０００８】
前記側板蹴出体の周面形状により、側板の移動方向を横方向に移動させると、綴杆が綴管から少し抜けでる位置となるように作用することより、側板と側板保持体の相対位置が変わり、綴杆および綴管に書類の自重により、側板保持体に加えている開く方向の力を解除し、側板保持体は、バネにより起立状態に復帰しても、側板は移動することはなく、前記係止部による係止が行われることがない為、ファイルの解除状態を維持することが出来る。
また、前記側板蹴出体の周面形状により、側板の移動方向を外方に移動させた後に、上方に移動させる周面形状を有する場合には、側板を基部から蹴り出す作用が大きくなり、前記係止部による係止への移行ををさらに防止でき、ファイルの解除状態を維持することが出来るように作用する。
さらに、側板保持体の枢支する枢支軸を、基端部側内側に位置させることで、作用点を、枢支軸より外方に位置させることが出来るため、側板の下端を外方に作用させる力を簡易に得ることが出来、前記側板蹴出体の周面形状を複雑なものとすることなく製作できるように作用する。
また、側板蹴出体の周面に溝部を形成する構成であることより、側板保持体を外方に開く方向に倒し、側板の下端部が側板蹴出体の溝部内に挿入されることになり、この状態で側板保持体の開く方向の力を解除したとしても、側板は側板保持体に確実に保持するように作用する。
【発明の効果】
【０００９】
以上説明したように、本発明に係る両開き綴具は、綴杆および綴管を有する側板の着脱操作を容易かつ円滑に行い、かつこれらを確実に蹴り出しを行うことができる両開き綴具を提供することでき、また、構成部品を少なくする簡易な構成の両開き綴具を製作できる優れた効果を有する。
【発明を実施するための最良の形態】
【００１０】
以下、図面を用いて本発明の実施の形態を順次説明する。
図１は両開き綴具の斜視図、図２は本発明に係る両開き綴具正面図、図３は同上の平面図、図４は同上の側面図、図５は図１の要部拡大斜視図、図６は一対の側板３の斜視図、図７、８は動作状態を示す説明図である。
【００１１】
第１の実施例に係る本発明は、両開き綴具は、台紙背表紙に固定した基板１の長手方向の両側に設けている側板保持体２と、綴杆３０又は綴杆３０に挿入する綴管３１をそれぞれ固設した左右一対の側板３とよりなる。
以下基板１、側板保持体２及び側板３の構造を説明する。
【００１２】
＜基板１＞
基板１は、鉄材等適宜材料より打ち抜き加工等で製作し、長手方向の両側に後述する側板保持体２を回動可能に軸支する為の枢支軸１０を設けた枢支体１１を設けている。
この枢支軸１０を設ける位置は、側板保持体２が基板１の外方から、基板１の両脇部に起立可能な位置となるように、基板１の端部の枢支体１１中央の側面に設けている。
【００１３】
＜側板保持体２＞
側板保持体２は、基板１と同様に鉄材等適宜材料より打ち抜き加工等で製作し、前記した基板１の両脇部に起立可能な位置となるように、基板１の枢支軸１０を回動可能に挿入する枢支軸保持体２３を下端部近傍の内面側に設けると共に、側板保持体２の基端部側に先端が内方に不勢するバネ２０を設け、側板保持体２を外方から起立する方向に作用させている。
また、側板保持体２の基端近傍に設けている側板蹴出体２２が設けられている。
この側板蹴出体２２の周面形状は、側板保持体２が枢支軸１０を中心として形成され、側板保持体２が外方に回動し、係止部３２が係止体２１から係止が解けた後に、側板３の下端に周面が当接し、その後、側板保持体２がさらに外方に回動した時に、側板３の下端部を上方に移動させる形状としている。
【００１４】
＜側板３＞
側板３は、前記した側板保持体２と係合する係止部３２が側板３に設けていることを除き、通常の両開き綴具とほぼ同様で、綴杆３０又は綴杆３０に挿入する綴管３１をそれぞれ固設する構成となっている。
【００１５】
次に、本発明の両開き綴具の側板３の取外し手順を図７に基づき説明する。
図７（ａ）は本発明の両開き綴具の固定状態を示す説明図でこの状態で、一対の側板３は、側板３の係止部３２が側板保持体２の係止体２１に完全に係止されている。
この状態から例えば右側の側板保持体２の上部に右方向に力を加えると、側板３は、枢支軸１０を中心として、側板保持体２を外方に開く方向に倒すと、側板３の係止部１１と側板の係止部３２の係止が解かれる（同図（ｂ））。
さらに、側板保持体２の上部に右方向に力を加えると、側板保持体２の基端近傍に設けられている側板蹴出体２２も同様に回動し、側板蹴出体２２の周面形状が回動にしたがって、側板３の下端に当接すると、同図（ｃ）に示すごとく、側板３の下端をやや上向きの右方向に押し出すように応力が加わり、右側の側板３は外方に少し引き出されるよう移動する。そして回動を続けることで応力の向きが上方向に変化していき、側板３を上方に蹴り出すように移動させる（同図（ｄ）〜（ｆ））。
なお、側板保持体２の回動に従って、綴杆３０および綴管３１に装着している書類の自重により、側板３は、側板蹴出体２２に接している部分に多大な垂直方向の応力が加わることになる。従って、側板保持体２に加えていた開く方向の力を解除すると、バネ２０の復帰弾性力が側板保持体２に加わり起立状態に復帰しようとしても、側板は移動することはなく、前記係止部３２による係止が行われることがない。ファイルの解除状態を維持することが出来る。
また、図７（ｃ）〜（ｅ）に示すごとく、水平方向成分の応力を側板３に加えることで、側板３と側板保持体２の相対的位置関係が、当初の係止状態から変化することになりファイルの解除状態を維持がより完全となる。
【００１６】
なお、図８、側板を係止するときの取り付け状態を示した説明図である。
図８において、側板保持体２は、バネ２０の復帰力で起立状態となっている（同図(a)）。そして、所定の書類等を綴杆３０および綴管３１に装着した側板３を、側板保持体２の上方から差し込むと、側板保持体２がバネ２０の力に抗して押し開きながら、挿入でき係止部３２が側板保持体２の係止体２１に装着し、係止状態とすることが出来る。
【００１７】
なお、図９は、側板蹴出体２２の周面形状の他の実施形態を示すもので、周面に溝部２４を形成したものである。このように構成することで、側板保持体２を外方に開く方向に倒した時、側板３の下端部が溝部２４に係合することになり、綴杆３０および綴管３１に装着している書類が少なくても、バネ２０の弾性力により側板保持体２が復帰することを完全に防止することが出来る。
【図面の簡単な説明】
【００１８】
【図１】本発明に係る両開き綴具の斜視図である。
【図２】本発明に係る両開き綴具の正面図である。
【図３】本発明に係る両開き綴具の平面図である。
【図４】本発明に係る両開き綴具の側面図である。
【図５】本発明の図１に示す実施の形態の要部拡大斜視図である。
【図６】本発明に使用する一対の側板３の斜視図である。
【図７】本発明の両開き綴具の側板の取外し手順を示す説明図である。
【図８】本発明の両開き綴具の側板の装着手順を示す説明図である。
【図９】本発明の側板蹴出体の他の実施形態を示す説明図である。
【図１０】従来の両開き綴具を示す説明図である。
【図１１】従来の両開き綴具を示す説明図である。
【符号の説明】
【００１９】
１    基板
１０    枢支軸
１１    枢支体
２    側板保持体
２０    バネ
２１    係止体
２２    側板蹴出体
２３    枢支軸保持体
２４    溝部
３    側板
３０    綴杆
３１    綴管
３２    係止部
【図１】
2010155421.tif 000003
【図２】
2010155421.tif 000004
【図３】
2010155421.tif 000005
【図４】
2010155421.tif 000006
【図５】
2010155421.tif 000007
【図６】
2010155421.tif 000008
【図７】
2010155421.tif 000009
【図８】
2010155421.tif 000010
【図９】
2010155421.tif 000011
【図１０】
2010155421.tif 000012
【図１１】
2010155421.tif 000013